(57)【要約】【課題】一次フィルタ自身の重なりや一次フィルタの二次フィルタへの張り付きを防止して一次フィルタの有効表面積を確保し、好適な集塵効率及び一次フィルタの寿命を維持する。【解決手段】タンク２内で吸込口１０と吸気ユニット４との間にプレフィルタ１９とメインフィルタ１２とをそれぞれ介在させた集塵機１において、プレフィルタ１９とメインフィルタ１２との間に、通気性を有してメインフィルタ１２の外側を覆い、プレフィルタ１９の形状を維持してメインフィルタ１２への張り付きを防止する保持体（網体１５）を設けた。【選択図】図２
2012115444.tif 000002
【特許請求の範囲】
【請求項１】
吸込口を有するタンクの上方に、モータ及び吸込ファンを備えた吸気ユニットを有する本体を載置して、前記タンク内で前記吸込口と吸気ユニットとの間に、前記タンク内へ膨出する可撓性の一次フィルタと、その内側に位置する二次フィルタとをそれぞれ介在させた集塵機であって、
前記一次フィルタと二次フィルタとの間に、通気性を有して少なくとも前記二次フィルタの外側を覆い、前記一次フィルタの形状を維持して前記二次フィルタへの張り付きを防止する保持体を設けたことを特徴とする集塵機。
【請求項２】
前記保持体を網体で形成したことを特徴とする請求項１に記載の集塵機。
【発明の詳細な説明】
【技術分野】
【０００１】
本発明は、吸込口を有するタンクの上方に、モータ及び吸込ファンを備えた吸気ユニットを有する本体を載置して、タンク内で吸込口と本体との間に一次フィルタと二次フィルタとの２つのフィルタを介在させた集塵機に関する。
【背景技術】
【０００２】
集塵機は、吸込口を有するタンクの上方に、モータ及び吸込ファンを備えた吸気ユニットを有する本体を載置して、タンク内で吸込口と本体との間に、タンク内へ膨出する布製や紙製の可撓性の一次フィルタと、その内側（空気の流れの下流側）に位置する二次フィルタとを介在させたものが知られている（特許文献１参照）。すなわち、モータの駆動で吸込ファンが回転すると、吸込口に接続したホースを介して外気がタンク内に吸い込まれ、吸気ユニットを通って外部へ排出されることで、外気と共にタンク内に吸い込まれた塵埃を一次フィルタで捕捉してタンク内に集塵し、一次フィルタを通過した細かい粉塵等を二次フィルタで捕捉するようにしたものである。
【先行技術文献】
【特許文献】
【０００３】
【特許文献１】実公昭５５−１２７５４号公報
【発明の概要】
【発明が解決しようとする課題】
【０００４】
上記集塵機においては、表面積を大きくするために、二次フィルタを一次フィルタ内へ突出させることがある。この場合、下流側の負圧によって一次フィルタが内側へ変形した際に一次フィルタ自身に重なりが生じたり二次フィルタの表面に張り付いたりすることがあり、このため一次フィルタの有効表面積が減少し、支持枠を用いても目詰まりが進行して集塵効率の低下や一次フィルタの寿命短縮化を引き起こしてしまう。
【０００５】
そこで、本発明は、一次フィルタ自身の重なりや一次フィルタの二次フィルタへの張り付きを防止して一次フィルタの有効表面積を確保し、好適な集塵効率及び一次フィルタの寿命を維持することができる集塵機を提供することを目的としたものである。
【課題を解決するための手段】
【０００６】
上記目的を達成するために、請求項１に記載の発明は、一次フィルタと二次フィルタとの間に、通気性を有して少なくとも二次フィルタの外側を覆い、一次フィルタの形状を維持して二次フィルタへの張り付きを防止する保持体を設けたことを特徴とするものである。
請求項２に記載の発明は、請求項１の構成において、保持体を網体で形成したことを特徴とするものである。
【発明の効果】
【０００７】
請求項１に記載の発明によれば、一次フィルタ自身の重なりや二次フィルタへの一次フィルタの張り付きを防止して一次フィルタの有効表面積を確保し、好適な集塵効率を維持することができる。また、一次フィルタの寿命短縮化の防止にも繋がる。
請求項２に記載の発明によれば、請求項１の効果に加えて、保持体を網体で形成したことで、通気性を維持しつつ一次フィルタの形状維持が確実に行える。
【図面の簡単な説明】
【０００８】
【図１】集塵機の斜視図である。
【図２】集塵機の分解斜視図である。
【図３】タンク内でのプレフィルタの状態を示す説明図である（運転停止状態）。
【図４】タンク内でのプレフィルタの状態を示す説明図である（運転状態）。
【発明を実施するための形態】
【０００９】
以下、本発明の実施の形態を図面に基づいて説明する。
図１は、集塵機の一例を示す斜視図、図２はその分解斜視図で、この集塵機１は、上面を開口したタンク２の上方に、吸気ユニット４を内蔵した本体３を設けてなる。吸気ユニット４は、タンク２の開口を閉塞して本体３を支持するタンクカバー５によってタンク２の中央上方から吊り下げ支持されており、内部に、図示しないモータとそのモータ駆動で回転する吸込ファンとを内蔵して、下面中央に吸気口６を開口させている。本体３の上部側面には、運転スイッチ７と吸引力の切替スイッチ８とが設けられ、本体３の上部中央にはハンドル９が設けられている。また、タンク２の側面には、ホースやノズル等を接続する吸込口１０が設けられると共に、タンクカバー５の外縁に係止して開口を閉塞させるフック１１，１１が設けられている。
【００１０】
図２に示すように、タンク２と本体３との間には、吸気口６の周囲及び下方を覆う二次フィルタとしてのメインフィルタ１２が設けられている。このメインフィルタ１２は、タンク２の開口に係止されるリング状の上係止部１３と、その上係止部１３から下方へ連設され、下方へ行くに従って小径となるテーパ状のフィルタ部１４とからなる。フィルタ部１４は、底面を除く側面全周がフィルタとなっている。
【００１１】
また、メインフィルタ１２には、保持体として、フィルタ部１４の形状に合わせてその側面全周を外側から覆うテーパ筒状の網体１５が設けられると共に、メインフィルタ１２の下面中央には、支持枠１６が設けられている。この支持枠１６は、上端中央がメインフィルタ１２の下面に連結されて下端が開口する下向きカップ状で、周方向に所定間隔をおいて放射方向且つ下向きにカーブする複数の縦材１７，１７・・と、その縦材１７に沿って上下方向に所定間隔をおいて固定され、下方へ行くに従って徐々に大径となる複数の円形の横材１８，１８・・との２種類の線材で形成されている。
【００１２】
そして、１９は一次フィルタとしてのプレフィルタで、メインフィルタ１２の上係止部の下側でタンク２の開口に係止されるリング状の下係止部２０と、その下係止部２０から下方へ連設され、下方へ行くに従って小径となるテーパ状のフィルタ部２１とからなる。このフィルタ部２１は、可撓性を有する布製又は紙製の有底筒で、メインフィルタ１２と共にタンク２の開口へ係止させた状態では、図３に示すように、網体５及び支持枠１６を含むメインフィルタ１２の全体を下側から覆ってタンク２内に膨出するようになっている。プレフィルタ１９の底面中央には、付勢手段としての錘２２が取り付けられて、常態ではタンク２内への膨出状態を維持している。
【００１３】
以上の如く構成された集塵機１においては、運転スイッチ７のＯＮ操作でモータが駆動して吸込ファンが回転すると、吸込口１０に接続したホース等を介して外気がタンク２内に吸引され、プレフィルタ１９及びメインフィルタ１２を通過して吸気口６から吸気ユニット４内に吸い込まれて、吸込ファンから図示しない送気路へ送られ、図示しない排気口から排出されるものとなる。これにより、外気と共にタンク２内に吸引された塵埃がまずプレフィルタ１９のフィルタ部２１に捕捉され、プレフィルタ１９を通過した細かい粉塵はメインフィルタ１２のフィルタ部１４に捕捉されることになる。
【００１４】
この運転中に粉塵がプレフィルタ１９のフィルタ部２１に付着して目詰まりすると、フィルタ部２１の通気性が低下して下流側が負圧となるため、フィルタ部２１は、図４に示すように、側面が網体１５と支持枠１６との隙間に嵌り込むと共に、錘２２を有する底面が支持枠１６の内部に下方から嵌り込んで、網体１５及び支持枠１６に張り付く格好で収縮変形する。
但し、メインフィルタ１２側では、プレフィルタ１９が変形しても網体１５の表面に張り付くにとどまり、自身が折り込まれて重なったりフィルタ部１４に直接張り付いたりしない上、支持枠１６と併せてそれ以上の変形が防止されるため、集塵に必要な有効表面積は維持できる。
【００１５】
そして、運転スイッチ７をＯＦＦ操作すると、モータが停止して外気の吸引が停止するため、下流側の負圧が解消したプレフィルタ１９は、再びタンク２内への膨出状態に復帰する。このとき、錘２２によってフィルタ部２１の底面が支持枠１６の下方へ勢いよく復帰すると共に、その復帰と共にフィルタ部２１の側面も網体１５と支持枠１６との間から外側へ勢いよく復帰する。よって、フィルタ部２１に付着していた粉塵はフィルタ部２１から払い落とされてタンク２内に落下する。
【００１６】
このように、上記形態の集塵機１によれば、プレフィルタ１９とメインフィルタ１２との間に、通気性を有してメインフィルタ１２の外側を覆い、プレフィルタ１９の形状を維持してメインフィルタ１２への張り付きを防止する保持体（網体１５）を設けたことで、プレフィルタ１９自身の重なりやメインフィルタ１２へのプレフィルタ１９の張り付きを防止してプレフィルタ１９の有効表面積を確保し、好適な集塵効率を維持することができる。また、プレフィルタ１９の寿命短縮化の防止にも繋がる。
特にここでは、保持体を網体１５で形成しているので、通気性を維持しつつプレフィルタ１９の形状維持が確実に行える。
【００１７】
なお、網体の深さや大きさは二次フィルタに合わせて適宜変更可能で、網体でなく線材で形成したカゴ体としたり、複数の透孔を穿設した板体としたりしてもよい。
また、支持枠の形態や錘の位置や数も適宜変更可能であるが、これらの支持枠や錘は省略することもできる。
そして、集塵機自体の構造も、タンクが胴長のものや本体とタンクとがヒンジによって開閉可能に結合されるもの等、吸込口と吸気ユニットとの間に２つのフィルタを備えたものであれば、他のタイプの集塵機にも本発明は適用可能である。
【符号の説明】
【００１８】
１・・集塵機、２・・タンク、３・・本体、４・・吸気ユニット、６・・吸気口、１０・・吸込口、１２・・メインフィルタ、１４・・フィルタ部、１５・・網体、１６・・支持枠、１９・・プレフィルタ、２１・・フィルタ部、２２・・錘。
【図１】
2012115444.tif 000003
【図２】
2012115444.tif 000004
【図３】
2012115444.tif 000005
【図４】
2012115444.tif 000006